(57)【要約】【課題】  耐洗濯性に優れた帯電防止剤を提供しようとする。【課題を解決するための手段】飽和脂肪酸の金属塩、飽和ジカルボン酸の金属塩、トリカルボン酸の金属塩及びグリセリンからなる帯電防止剤組成物であり、飽和脂肪酸の金属塩１００重量部に対して、飽和ジカルボン酸の金属塩１０〜２０重量部、トリカルボン酸の金属塩１〜３重量部、グリセリン５〜２０部を含有する前記帯電防止剤組成物であり、さらにトリルトリアゾールまたはベンゾトリアゾールを含前記帯電防止剤組成物である。【選択図】  なし【特許請求の範囲】
【請求項１】
飽和脂肪酸の金属塩、飽和ジカルボン酸の金属塩、トリカルボン酸の金属塩及びグリセリンからなる帯電防止剤組成物。
【請求項２】
飽和脂肪酸の金属塩１００重量部に対して、飽和ジカルボン酸の金属塩１０〜２０重量部、トリカルボン酸の金属塩１〜３重量部、グリセリン５〜２０部を含有する、請求項１に記載の帯電防止剤組成物。
【請求項３】
さらにトリルトリアゾールまたはベンゾトリアゾールを含む請求項１または２に記載の帯電防止剤組成物。
【請求項４】
前記飽和脂肪酸の金属塩が、カプリル酸、カプロン酸、デカン酸、ドデカン酸、ラウリン酸、ミリスチン酸、パルミチン酸、およびステアリン酸からなる群より選択される少なくとも１つの飽和脂肪酸の金属塩である請求項１から３のいずれか１項に記載の帯電防止剤組成物。
【請求項５】
前記飽和ジカルボン酸の金属塩がドデカン二酸、セバチン酸、セバシン酸からなる群より選択される少なくとも１つの飽和ジカルボン酸の金属塩である請求項１から４のいずれか１項に記載の帯電防止剤組成物。
【請求項６】
前記トリカルボン酸の金属塩がクエン酸の金属塩である請求項１から５のいずれか１項に記載の帯電防止剤組成物。
【請求項７】
前記金属塩がカリウム塩を含む請求項１から６のいずれか１項に記載の帯電防止剤組成物。
【請求項８】
さらに水酸化物を含むことを特徴とする請求項１から７のいずれか１項に記載の帯電防止剤組成物。
【請求項９】
請求項１から８のいずれか１項に記載の帯電防止剤組成物を含む水溶液からなる帯電防止剤。
【請求項１０】
さらに、第一リン酸カリウムと第二リン酸カリウムを含む、請求項９に記載の帯電防止剤。
【発明の詳細な説明】
【技術分野】
【０００１】
本発明は、繊維や繊維製品や用品に付着させて用いる帯電防止剤組成物及び帯電防止剤に関する。
【背景技術】
【０００２】
繊維や繊維製品に付着させて用いる帯電防止剤としては、高級アルコールリン酸エステル塩、ポリエチレングリコール系非イオン界面活性剤、第４級アンモニウム塩、ベタイン型両性界面活性剤、アミノ酸型両性界面活性剤が挙げられる（例えば、特許文献１参照）が、洗濯により脱落して効果が失われるという問題があった。
【先行技術文献】
【非特許文献】
【０００３】
[非特許文献１]  繊維便覧  加工編（編者：繊維学会、発行：丸善株式会社、）第２版；７３１頁
【発明の概要】
【発明が解決しようとする課題】
【０００４】
本発明の目的は、耐洗濯性に優れた帯電防止剤を提供することにある。
【課題を解決するための手段】
【０００５】
本発明の帯電防止剤組成物は、飽和脂肪酸の金属塩、飽和ジカルボン酸の金属塩、トリカルボン酸の金属塩及びグリセリンからなり得る。
【０００６】
前記帯電防止剤組成物は、飽和脂肪酸の金属塩１００重量部に対して、飽和ジカルボン酸の金属塩１０〜２０重量部、トリカルボン酸の金属塩１〜３重量部、グリセリン５〜２０部を含有し得る。
【０００７】
前記帯電防止剤組成物は、さらにトリルトリアゾールまたはベンゾトリアゾールを含み得る。
【０００８】
前記飽和脂肪酸の金属塩は、カプリル酸、カプロン酸、デカン酸、ドデカン酸、ラウリン酸、ミリスチン酸、パルミチン酸、およびステアリン酸からなる群より選択される少なくとも１つの飽和脂肪酸の金属塩であり得る。
【０００９】
前記飽和ジカルボン酸の金属塩は、ドデカン二酸、セバチン酸、セバシン酸からなる群より選択される少なくとも１つの飽和ジカルボン酸の金属塩であり得る。
【００１０】
前記トリカルボン酸の金属塩は、クエン酸の金属塩であり得る。
【００１１】
前記金属塩はカリウム塩を含み得る。
【００１２】
前記帯電防止剤組成物は、さらに水酸化物を含み得る。
【００１３】
また、本発明の帯電防止剤は、前記帯電防止剤組成物を含む水溶液からなり得る。
【００１４】
前記帯電防止剤は、さらに、第一リン酸カリウムと第二リン酸カリウムを含み得る。
【発明の効果】
【００１５】
本発明によると、耐洗濯性に優れた帯電防止剤が提供される。
【発明を実施するための形態】
【００１６】
本発明の帯電防止剤組成物は、飽和脂肪酸の金属塩、飽和ジカルボン酸の金属塩、トリカルボン酸の金属塩及びグリセリンからなる組成物である。
【００１７】
本発明の帯電防止剤組成物は、さらに、さらにトリルトリアゾールまたはベンゾトリアゾールを含み得る。トリルトリアゾールまたはベンゾトリアゾールは飽和脂肪酸１００重量部に対して３〜１２重量部含有されることが好ましい。
【００１８】
本発明の帯電防止剤組成物は、飽和脂肪酸の金属塩１００重量部に対して、飽和ジカルボン酸の金属塩１０〜２０重量部、トリカルボン酸の金属塩１〜３重量部、グリセリン５〜２０部を含有することが好ましい。
【００１９】
本発明の帯電防止剤組成物に用いられる飽和脂肪酸の金属塩は、特に限定されず、当業者に公知のいずれの飽和脂肪酸の金属塩でもあり得る。好ましくは、カプリル酸、カプロン酸、デカン酸、ドデカン酸、ラウリン酸、ミリスチン酸、パルミチン酸、およびステアリン酸からなる群より選択される少なくとも１つの飽和脂肪酸の金属塩である。
【００２０】
本発明の帯電防止剤組成物に用いられる飽和ジカルボン酸は、特に限定されず、当業者に公知のいずれの飽和ジカルボン酸の金属塩でもあり得る。好ましくは、ドデカン二酸、セバチン酸、セバシン酸からなる群から選択される少なくとも１つの飽和ジカルボン酸の金属塩である。
【００２１】
本発明の帯電防止剤組成物に用いられるトリカルボン酸の金属塩は特に限定されず、当業者に公知のいずれのトリカルボン酸の金属塩でもあり得る。好ましくは、クエン酸、イソクエン酸、トリカルバリル酸の金属塩である。なかでもクエン酸の金属塩が好ましい。
【００２２】
本発明の消火液の調製に用いられる脂肪酸の金属塩は、特に限定されず、当業者に公知のいずれの脂肪酸金属塩でもあり得る。特に好ましくは、脂肪酸カリウム、脂肪酸ナトリウムなどである。
【００２３】
本発明の帯電防止剤組成物は水に溶かし、水溶液の状態で帯電防止剤として用いることができる。
【００２４】
本発明の帯電防止剤組成物から調製した水溶液は、そのまま、従来の帯電防止剤の代替として様々な用途に用いることができるが、さらにｐＨ調整作用を有する水酸化物などの化合物を加えることが好ましい。この場合に用いられる化合物は、特に限定されず、水酸化ナトリウム、水酸化カリウム、水酸化カルシウム、炭酸ナトリウムなど、当業者に公知のいずれの水酸化物でもあり得る。
【００２５】
本発明の帯電防止剤組成物から調製した水溶液のｐＨは１０．５〜１１．５に調整されることが好ましい。
【００２６】
本発明の帯電防止剤組成物から調製した水溶液はリン酸カリウム水溶液（第一リン酸カリウム、第二リン酸カリウムのいずれかまたは両方の水溶液）を加えてさらに調製されることが好ましい。
【００２７】
本発明の帯電防止剤は、使用された繊維や繊維製品や用品が金属部材に触れた場合の防錆性に優れ、かつ優れた帯電防止効果を発揮する。
【００２８】
本発明の帯電防止剤は、使用された繊維製品の帯電防止効果が洗濯後も発揮される。すなわち、耐洗濯性に優れる。
【００２９】
本発明の帯電防止剤は、潤滑性が良いので、金属、ゴム、樹脂、ガラスなどの切削加工の潤滑液としても使用できる。
【００３０】
本発明の帯電防止剤は、対象物に塗布することにより、対象物の害虫に対する虫よけ効果がある。
【００３１】
本発明の帯電防止剤を用いた実施例を示すが、本発明は、以下の実施例に限定されるものではない。本発明はその趣旨を逸脱しない範囲内で、当業者の知識に基づき種々なる改良、修正、変形を加えた態様で実施し得るものである。
【実施例】
【００３２】
本発明の帯電防止剤を調製した。蒸留水７１６ｃｃに、炭酸ナトリウム２ｇ、市販の水酸化カリウム（旭硝子株式会社製）６０ｇを蒸留水１２０ｃｃで希釈したカリ水１３０ｃｃ、カプリル酸（日本油脂株式会社製）１１０ｇ、市販のドデカン二酸４ｇ、市販のセバシン酸１０ｇ、市販のクエン酸２ｇ、トリルトリアゾール（城北化学工業株式会社製）６ｇ、炭酸ナトリウム２ｇ、リン酸カリウム水溶液（蒸留水１００ｇに対して第一リン酸カリウム２ｇ、第二リン酸カリウム０，５ｇを加えた水溶液）１０ｇ、を混合して帯電防止剤を調製した。得られた帯電防止剤のｐＨは１１であった。得られた帯電防止剤を蒸留水で３０倍に希釈し、ナイロン靴下に含浸、遠心脱水ののち乾燥した。
【００３３】
この処理前の靴下の摩擦帯電圧は７ｋＶであった。この処理後の靴下の摩擦帯電圧は３ｋＶであった。の処理後の靴下の洗濯３回後の摩擦帯電圧は３．５ｋＶであった。なお、洗濯は、ＪＩＳ Ｌ １０９４に記載の家庭用洗濯を行った。摩擦帯電圧はＪＩＳ Ｌ １０９４に従い、ロータリースタティックテスターを使用して、綿布で摩擦して行った。測定環境は温度２０℃、湿度４０％であった。